(57)【要約】【課題】本発明は、光源からの照射光の利用効率を向上すると共に、反射鏡の反射率・形状等に応じた直接光と間接光の割合の調整が容易なライン状照明装置、及び、画像読取装置を提供する。【解決手段】入光面６にＬＥＤ２ｋの照射面に略平行に対向する第１の平面Ａを備えると共に、第１の平面Ａの下端と出射面７の下端との間には、少なくとも、入光面側反射面Ｃと出射面側反射面Ｄの連続する２つの反射面を備える。この時、入光面側反射面Ｃと出射面側反射面Ｄとの交線は、第１の平面Ａの上端より低くすると共に、出射面側反射面Ｄと出射面７との交線は、入光面側反射面Ｃと出射面側反射面Ｄとの交線と略同じ高さとする。【選択図】図４
2011139201.tif 000002
【特許請求の範囲】
【請求項１】
基板と、
前記基板上に直線状に配置された複数の光源と、
前記光源に沿って配され、前記光源からの光を長手方向の側面より２方向へ照射する棒状の導光体と、
前記２方向の一方の光を他方の光と交差させる反射鏡と、
を備えたライン状照明装置において、
前記導光体は、
長手方向に沿って設けられた出射面と、
前記出射面に対向して設けられた入光面と、
前記出射面と、前記入光面との間に設けられた複数の反射面と、
を備え、
前記出射面は凸状に形成されると共に、
前記入光面には前記光源の照射面に略平行に対向する平面を備え、
前記平面の下端と前記出射面の下端との間には、少なくとも、入光面側反射面と出射面側反射面の連続する２つの反射面を備え、
前記入光面側反射面と前記出射面側反射面との交線は、前記平面の上端より低くすると共に、
前記出射面側反射面と前記出射面との交線は、前記入光面側反射面と前記出射面側反射面との交線と略同じ高さとした
ことを特徴とするライン状照明装置。
【請求項２】
基板と、
前記基板上に直線状に配置された複数の光源と、
前記光源に沿って配され、前記光源からの光を長手方向の側面より２方向へ照射する棒状の導光体と、
前記２方向の一方の光を他方の光と交差させる反射鏡と、
を備えたライン状照明装置を用いた画像読取装置において、
前記導光体は、
長手方向に沿って設けられた出射面と、
前記出射面に対向して設けられた入光面と、
前記出射面と、前記入光面との間に設けられた複数の反射面と、
を備え、
前記出射面は凸状に形成されると共に、
前記入光面には前記光源の照射面に略平行に対向する平面を備え、
前記平面の下端と前記出射面の下端との間には、少なくとも、入光面側反射面と出射面側反射面の連続する２つの反射面を備え、
前記入光面側反射面と前記出射面側反射面との交線は、前記平面の上端より低くすると共に、
前記出射面側反射面と前記出射面との交線は、前記入光面側反射面と前記出射面側反射面との交線と略同じ高さとした
ことを特徴とする画像読取装置。
【発明の詳細な説明】
【技術分野】
【０００１】
本発明は、複写機、イメージスキャナー、あるいはファクシミリ等の画像読取装置で使用されるライン状照明装置に係り、特に原稿の読取面を照射してその反射光を読み取るイメージセンサユニットに用いられるライン状照明装置、及び、画像読取装置に関するものである。
【背景技術】
【０００２】
従来、複写機、スキャナー、ファクシミリ等に利用される縮小光学系に用いられる画像読取装置には、照明装置としてＬＥＤを用いたライン状照明装置がある。  
これは、長手方向に延びた棒状の導光体の長手方向の一端面を入光面とし、その入光面の近傍に入光面に沿ってＬＥＤ等からなる光源を複数配置することで、光源から発せられた照射光が導光体を通して導光体の長手方向に沿って設けられた出射面から原稿の照射点へ照射される構造である。
【０００３】
また、特許文献１記載の画像読取装置において、基板４００上に複数個配置されたＬＥＤ光源４０１と、このＬＥＤ光源４０１に一体に構成された集光レンズ（導光体）４０２により、ＬＥＤ基板４００の法線方向に対して傾斜させた方向に照射する提案がなされている。（図１４参照）
この構成により、ＬＥＤ４０１から発せられた照射光は、図示しない原稿の照射点に向かって斜め上方へ照射される。照射光は原稿によって反射され、この反射光（読取画像）が複数の反射ミラー４０２により光路の向きを変えられ、結像レンズ４０３を介してラインセンサ４０４に導かれ読取を行うものである。
【０００４】
ところで、このライン状照明装置は、原稿の照射点に対し、２方向から照射する必要があることから照明装置が２組となり、部品点数が増えコストが増大する問題があった。また、組み立て作業が複雑となるため工数が増大するという問題があった。
【０００５】
この問題を解決するため、特許文献２記載の画像読取装置が提案されている。  
即ち、基板５００上に複数個配置されたＬＥＤ光源５０１と、このＬＥＤ光源５０１から発せられた照射光を原稿の照射点に照射する導光体５０２と、導光体５０２の射出面５０３に対向した反射面５０４を有する反射体５０５（反射鏡）とを備えた構成である。（図１５参照）
【先行技術文献】
【特許文献】
【０００６】
【特許文献１】特開２００４−１７０８５８号公報
【特許文献２】特開２００７−５８６０号公報
【発明の概要】
【発明が解決しようとする課題】
【０００７】
しかしながら、特許文献２に記載の構成は、ＬＥＤ光源５０１の照射面が基板５００の実装面に対して平行に配置されているため、原稿の照射点に向かって斜め上方へ照射する必要があった。このため、基板５００を斜めに固定するなどしてＬＥＤ光源５０１の照射面を斜め上方へ向ける必要があり、組み立て時に調整等の工数が増しコスト増となる問題があった。  
また、導光体５０２の射出面５０３から浅い角度で発せられた照射光をフレア成分として除去するため、原稿の照射点に対し照射される照射光が減少し、ＬＥＤ光源５０１からの照射光の利用効率が低下する問題があった。  
さらには、反射面５０４の反射率・形状等に応じて、直接光と間接光（反射体５０５による反射光）の割合を変更するには導光体５０２の形状を大幅に変更する必要があった。
【０００８】
本発明はかかる実情に鑑みなされたものであり、光源からの照射光の利用効率を向上すると共に、反射鏡の反射率・形状等に応じた直接光と間接光の割合の調整が容易なライン状照明装置、及び、画像読取装置を提供することを目的とする。
【課題を解決するための手段】
【０００９】
請求項１記載のライン状照明装置は、基板と、前記基板上に直線状に配置された複数の光源と、前記光源に沿って配され、前記光源からの光を長手方向の側面より２方向へ照射する棒状の導光体と、前記２方向の一方の光を他方の光と交差させる反射鏡と、を備えたライン状照明装置において、前記導光体は、長手方向に沿って設けられた出射面と、前記出射面に対向して設けられた入光面と、前記出射面と、前記入光面との間に設けられた複数の反射面と、を備え、前記出射面は凸状に形成されると共に、前記入光面には前記光源の照射面に略平行に対向する平面を備え、前記平面の下端と前記出射面の下端との間には、少なくとも、入光面側反射面と出射面側反射面の連続する２つの反射面を備え、前記入光面側反射面と前記出射面側反射面との交線は、前記平面の上端より低くすると共に、前記出射面側反射面と前記出射面との交線は、前記入光面側反射面と前記出射面側反射面との交線と略同じ高さとしたことを特徴とする。
【００１０】
請求項２記載の画像読取装置は、基板と、前記基板上に直線状に配置された複数の光源と、前記光源に沿って配され、前記光源からの光を長手方向の側面より２方向へ照射する棒状の導光体と、前記２方向の一方の光を他方の光と交差させる反射鏡と、を備えたライン状照明装置を用いた画像読取装置において、前記導光体は、長手方向に沿って設けられた出射面と、前記出射面に対向して設けられた入光面と、前記出射面と、前記入光面との間に設けられた複数の反射面と、を備え、前記出射面は凸状に形成されすると共に、前記入光面には前記光源の照射面に略平行に対向する平面を備え、前記平面の下端と前記出射面の下端との間には、少なくとも、入光面側反射面と出射面側反射面の連続する２つの反射面を備え、前記入光面側反射面と前記出射面側反射面との交線は、前記平面の上端より低くすると共に、前記出射面側反射面と前記出射面との交線は、前記入光面側反射面と前記出射面側反射面との交線と略同じ高さとしたことを特徴とする。
【発明の効果】
【００１１】
以上のように、照射面に略平行に対向する平面を備えたことにより、２方向へ照射する照射光の分離性を向上でき、照射光の利用効率を向上できる。  
また、入光面側反射面と出射面側反射面との交線の高さ方向の位置を変更することにより、直接光と間接光の割合の調整を容易に行えるため、反射鏡の反射率等に応じた照射光の光量の割合の変更が容易となり、照明装置の設計の際の設計の自由度を増やすことができる。
【図面の簡単な説明】
【００１２】
【図１】図１は、本発明を適用できる複写機の構造を示す図である。
【図２】図２は、複写機の読取部の構造を示す図である。
【図３】図３は、光源ユニット３５の構造を示す斜視図である。
【図４】図４は、光源ユニット３５の構造を示す断面図である。
【図５】図５は、基板１の構造を示す上面図である。
【図６】図６は、本発明を適用できる光源ユニット３５からの照射光の状態を示す図である。
【図７】図７は、「Δｄ」と直接光・間接光の割合の関係を示す図である。
【図８】図８は、本発明を適用できる導光体３において、ＬＥＤ２ｋからの照射光の状態を示す図である。
【図９】図９は、比較の一例としての導光体３において、ＬＥＤ２ｋからの照射光の状態を示す図である。
【図１０】図１０は、本発明を適用できる光源ユニット３５の配光特性を示す図である。
【図１１】図１１は、比較の一例としての１方向のみに光を照射する光源ユニット３５の配光特性を示す図である。
【図１２】図１２は、本発明を適用できる光源ユニット３５の原稿３４の照射点の位置における、副走査方向の照度分布を示す図である。
【図１３】図１３は、反射鏡１２の有無による原稿３４の照射点の位置における高さ方向の位置の変化「Δl」に対する照度分布の比較例を示す図である。
【図１４】図１４は、従来の画像読取装置の一例を示す図である。
【図１５】図１５は、従来の他の画像読取装置の一例を示す図である。
【発明を実施するための形態】
【００１３】
以下、本発明の実施形態について、画像読取装置が組み込まれた複写機の例を図面を用いて説明する。
【００１４】
図１は、本発明を適用できる複写機の構造を示す図であり、図２は、複写機の画像読取部の構造を示す図である。図１、及び、図２において、２１は複写機本体であり、画像読取部３０と画像形成部４０とを備えている。画像読取部３０はいわゆるイメージスキャナーの機能を有するものであり、以下のように構成される。
【００１５】
即ち、プラテンガラス３１と、プラテンカバー３２と、キャリッジ３３とを備える。  
プラテンカバー３２はプラテンガラス３１を覆うように設けられており、外光を遮断してプラテンガラス３１上の原稿３４の読取を容易にする。キャリッジ３３は縮小光学系の画像読取装置であり、光源ユニット３５と複数の反射ミラー３６、結像レンズ３７と、ラインセンサ３８とを備えるものである。
【００１６】
この構成により、光源ユニット３５から発せられた照射光は原稿３４の表面に照射される。照射光は原稿３４によって反射され、この反射光（読取画像）が複数の反射ミラー３６により光路の向きを変えられ、結像レンズ３７を介してラインセンサ３８に導かれる。
【００１７】
キャリッジ３３は走査時において副走査方向に移動し、原稿３４を照射しながら原稿３４全面を走査する。結像レンズ３７は複数の反射ミラー３６とラインセンサ３８とを結ぶ光路上に設けられており、原稿３４からの反射光をラインセンサ３８上に結像する。ラインセンサ３８は反射光を例えばレッド（Ｒ）、グリーン（Ｇ）、およびブルー（Ｂ）の３色に分光して受光し、それぞれを光電変換する３ラインカラーＣＣＤ（Charge Coupled Device）イメージセンサ等の受光素子であり、受光した反射光を信号に変換して画像信号として出力する。
【００１８】
画像形成部４０はいわゆるプリンタ（出力装置）の機能を有するものであり、以下のように構成される。  
即ち、給紙トレイ４１と、搬送ロール４２と、転写ユニット４３と、中間転写ベルト４４と、定着ユニット４５とを備えるものである。  
４１は給紙トレイであり、所定のサイズのシートを収容し、このシートを画像形成に合わせて供給するものである。
【００１９】
４３は転写ユニットであり、前述のラインセンサ３８より出力される画像信号から静電潜像を形成し、トナーを付着させることによってトナー像を形成するものである。このトナー像は中間転写ベルト４４に転写された後、シート上に転写され、定着ユニット４５によって加圧・加熱されシート上に定着することで、画像印刷を行うものである。
【００２０】
図３は、本発明を適用できる光源ユニット３５の構成を示す図であり、図４は、光源ユニット３５の長手方向（主走査方向）の略中央部における副走査方向の断面図である。  
１は基板であり、この基板１の実装面は、例えば反射材として酸化チタン粉末やアルミニウム粉末等による白シルク印刷で塗装されており、後述するＬＥＤ２からの照射光を効率的に反射するものである。
【００２１】
２は白色光を発するＬＥＤであり、基板１上に複数のＬＥＤ２ｋ（ｋは自然数）が直線状に実装されている。  
また、ＬＥＤ２ｋは図５に示すように主走査方向に対して中央部の間隔「ｂ」を粗に、両端部の間隔「ａ」を密に実装されている「ｂ」＞「ａ」。  
尚、図面の記載上、ＬＥＤの数を図３において３５個としてあるが、ＬＥＤの数は特に限定されるものではない。
【００２２】
３はアクリル等の透明素材からなる棒状の導光体であり、前記ＬＥＤ２ｋに沿って覆うように設置されている。４は導光体３を支持するフレーム、５は基板１と図示しない外部機器とを接続するコネクタである。  
即ち、光源ユニット３５は、複数のＬＥＤ２ｋの実装された基板１、導光体３が夫々所定の位置関係でフレーム４に取り付け支持された構成であり、基板１の実装面に対してＬＥＤ２ｋからの照射光を略垂直に照射できるものである。
【００２３】
導光体３は、長手方向（主走査方向）に沿って入光面６と出射面７と第１の反射面８と第２の反射面９に大別できる。尚、長手方向（主走査方向）の両側の端面は夫々図示しない反射面である。また、光源ユニット３５において複数のＬＥＤ２ｋが入光面６の近傍に配置されることにより、ＬＥＤ２ｋから発せられた照射光が入光面６を透過して導光体３の内部に入光する構成である。
【００２４】
出射面７は入光面６に対向する面であり、集光効果のため凸状に湾曲して形成されており、例えば、表面にはローレット加工が施されている。  
入光面６は、少なくとも、第１の平面Ａと第２の平面Ｂとの連続する２つの平面から成り、ＬＥＤ２ｋの照射面と略平行に対向する第１の平面Ａを備えるように形成したものであり、第１の平面Ａと第２の平面Ｂとの交線は「ｃ」である。  
また、第１の平面Ａの出射面７の下端との間に位置する第１の反射面８は、少なくとも、入光面側反射面Ｃと出射面側反射面Ｄとの連続する２つの反射面から成り、入光面側反射面Ｃと出射面側反射面Ｄとの交線は「ｄ」である。  
また、出射面側反射面Ｄと出射面７との交線「ｅ」は、交線「ｄ」と略同じ高さとなっている。
【００２５】
尚、出射面側反射面Ｄは出射面７に向かって逆テーパー状となるよう低く（「ｅ」が「ｄ」より低く）なっていても構わない。
【００２６】
１２は反射鏡であり、この反射鏡１２は、導光体３の長手方向（主走査方向）と略同一の長さを有する平面状のミラーであり、例えば、アルミ板、又は、反射面にアルミ膜が形成されたものから構成されることにより、光源ユニット３５の長手方向（主走査方向）の側面から照射される照射光の向きを変え、後述する一方の光（第１の光束１３）を他方の光（第２の光束１４）とを原稿３４の照射点に交差させるように導くものである。（図６参照）
図６に示す反射鏡１２は平面形状をしているが、断面楕円状または断面放物線状に形成されていても構わない。この場合、平面形状と比較して、光原稿３４の照射点への照射光の収束性の向上が図れると共に、照射光の照射範囲を任意に制御できるものである。
【００２７】
この構成により、ＬＥＤ２ｋから発せられた照射光の内、第１の平面Ａを透過した照射光の一部は第１の光束１３（間接光）として直接出射面７から照射されることにより、原稿３４に対し略平行に照射される。他の照射光の多くは第１の反射面８により全反射されることにより、第２の光束１４（直接光）として直接出射面７から原稿３４の照射点に照射され、出射面７の凸状部により原稿３４の照射点に集光される。
【００２８】
また、第２の平面Ｂを透過した照射光の多くは直接出射面７から原稿３４の照射点に照射され（又は、第２の反射面９にて全反射された後、直接出射面７より出射され）た後、第２の光束１４と合成され、出射面７の凸状部により原稿３４の照射点に集光される。  
このように、ＬＥＤ２ｋからの照射光を出射面７より各々独立した異なる２方向に照射するものである。  
さらに、第１の光束１３は、第２の光束１４と原稿３４の照射点に交差するよう反射鏡１２により反射されるものである。
【００２９】
図７は、本実施形態の導光体３において、ＬＥＤ２ｋの照射面の下端と「ｄ」との高さ方向の差「Δｄ」と直接光・間接光の割合の関係を示す図であり、１００は「Δｄ」の変化による直接光・間接光の割合の変化を示す線である。  
図７によると、「Δｄ」を調整することにより、原稿３４に対し略平行に照射される成分（直接光）と、直接原稿３４に照射される成分（間接光）との割合が調整可能となる。  このため、反射鏡の反射率等に応じた照射光の光量の割合の変更が容易となり、照明装置の設計の際の設計の自由度を増やすことができる。
【００３０】
本実施形態では、実装面に対し、第１の反射面８（入光面側反射面Ｃ）は１７．６°、第２の平面Ｂは１３２°、第２の反射面９は６２°夫々傾いている。  
これにより、第１の反射面８、及び、第２の反射面９は、ＬＥＤ２ｋからの照射光に対し、臨界角を越える照射光を全反射するものである。  
また、「Δｃ」＝０．３６ｍｍ、「Δｄ」＝「Δｅ」＝０．１ｍｍとし、直接光：間接光＝５５％：４５％とした。  
尚、「ｃ」においては、ＬＥＤ２ｋの照射面の上端と「ｃ」との高さ方向の差を「Δｃ」とし、照射面の上端と「ｃ」とが同一の高さにある場合を「Δｃ」＝０ｍｍとする。  
「ｄ」、「ｅ」においては、ＬＥＤ２ｋの照射面の下端と「ｄ」、「ｅ」との高さ方向の差を「Δｄ」、「Δｅ」とし、照射面の下端と「ｄ」、「ｅ」とが同一の高さにある場合を「Δｄ」＝「Δｅ」＝０ｍｍとする。  
また、少なくとも、「ｃ」は、ＬＥＤ２ｋの照射面の上端より「Δｃ」だけ高いものとし、「Δｄ」、「Δｅ」共、「ｃ」の高さより低いものとする。
【００３１】
ここで、導光体３内部を伝播する照射光をシミュレーションにより示した図を用いて上述の効果を説明する。  
図８は入光面６にＬＥＤ２ｋの照射面と略平行に対向する第１の平面Ａ、及び、第２の平面Ｂを備えた例であり、図９は比較の一例として入光面６を斜め直線状の平面（第１の平面Ａを備えていない）とした例である。
【００３２】
図８における本実施形態の導光体３においては、入光面６の近傍に配置されたＬＥＤ２ｋから発せられた照射光の内、第１の平面Ａを透過した照射光の一部は、第１の光束１３として直接出射面７から照射されることにより、原稿３４に対し略平行に照射される。また、他の照射光の多くは第１の反射面８により全反射されることにより、第２の光束１４として出射面７より出射され、出射面７の凸状部により原稿３４の照射点に集光される。  また、第２の平面Ｂを透過した照射光の多くは直接出射面７から原稿３４の照射点に出射され（又は、第２の反射面９にて全反射された後、直接出射面７より出射され）た後、第２の光束１４と合成され、出射面７の凸状部により原稿３４の照射点に集光される状態を示している。  
この時、第１の光束１３は、出射面７の凸状部により原稿３４の照射点に収束されるものである。また、第１の光束１３は、第２の光束１４と原稿３４の照射点に交差するよう反射鏡１２により反射されることで、原稿３４の照射点に照射され、原稿３４の読取対象部分がライン状に照明されるものである。
【００３３】
図９における導光体３においても同様に、入光面６の近傍に配置されたＬＥＤ２ｋから発せられた照射光の全てが入光面６を透過し、一部が第１の光束１３として直接出射面７から照射されることにより、原稿３４に対し略平行に照射される。一方、他の照射光の多くは第１の反射面８、及び、第２の反射面９により全反射されることにより、第２の光束１４として出射面７より照射されると共に、直接出射面７より出射された照射光の一部とが合成されることで形成される。  
第２の光束１４は出射面７の凸状部により原稿３４の照射点に集光される。
【００３４】
しかしながら、図９に示す導光体３では、入光面６に第１の平面Ａが形成されておらず直線状の平面のみのため、この平面の中央部付近を透過した照射光は出射面７から略均一に照射されることになる。この結果、出射面７の中央部付近から、原稿３４の照射点に照射されない角度で、且つ、反射鏡１２によっても反射されない角度で照射される照射光が生じることから、迷光（フレア成分）が発生するものである。
【００３５】
一方、図８における本実施形態の導光体３では、第１の平面Ａを形成することにより、出射面７の中央部付近から照射光を照射させることなく第１の光束１３、及び、第２の光束１４に収束させることができる。この結果、反射鏡１２により反射されない角度で照射される照射光を低減できることにより、ＬＥＤ２ｋからの照射光を効率よく原稿３４の照射点に集光することが可能となり、照射点の照度を向上できる。
【００３６】
このように、入光面６に第１の平面Ａ、及び、第２の平面Ｂを備えたことにより、２方向へ照射する場合の分離性が向上することにより、照射点の照度、即ち、照射光の利用効率を向上できるものである。
【００３７】
尚、図中の実線は、ＬＥＤ２ｋから発せられた照射光の状態を追跡できるようにするためものであり、実際は光束である。
【００３８】
図１０は本発明を適用できる光源ユニット３５の配光特性を示す図であり、図１１は比較の一例としての１方向のみに光を照射する光源ユニット３５の配光特性を示す図である。  
また、図１４は本実施形態の光源ユニット３５において、原稿３４の照射点の位置における副走査方向に対する照度分布の反射鏡１２の有無による比較例である。  
２００は反射鏡１２有りの状態を示す線であり、２０１は反射鏡１２無しの状態を示す線である。  
図１２に示すように、本発明を適用できる反射鏡１２を用いることで、原稿３４の照射点の副走査方向における位置の変化（±１．０ｍｍ）において、安定した照度を保つことができる。
【００３９】
これにより、副走査方向における読み取り光量の変動を抑制でき、出力変動幅を小さくできることから、画像読み取り装置の出力画像に発生する濃度変動を低減することができ、読み取り性能を安定できる。
【００４０】
図１３は本実施形態の光源ユニット３５において、反射鏡１２の有無による原稿３４の照射点の位置における高さ方向の位置の変化（「Δl」）に対する照度分布の比較例を示す図である。  
３００は反射鏡１２有りの状態を示す線であり、３０１は反射鏡１２無しの状態を示す線である。  
図１３に示すように、本発明を適用できる、２方向に光を照射する光源ユニット３５、及び、反射鏡１２を用いることで、０ｍｍ＜「Δl」＜３．０ｍｍにおいて、安定した照度を保つことができる。  
これは、反射鏡１２からの第１の光束１３の照明ピーク位置を反射鏡側へ、光源ユニット３５からの第２の光束１４の照明ピーク位置を光源側へずらすことにより、プラテンガラス３１の上方にピーク位置の合致する位置が生じるためである。
【００４１】
これにより、原稿３４の高さ方向への位置の変化につれ両者のピーク位置が合致することになることから、原稿３４の皺・段差・浮き上がり等に伴う高さの変動による出力の低下量を低減することができ、読み取り性能を安定できる。このため、画像読み取り装置の出力画像に発生する濃度変動を低減することができ、読み取り性能を安定できる。
【００４２】
尚、図１０、乃至、図１３は、各ＬＥＤ２ｋのピッチ（間隔）は中央部で６．４ｍｍ、端部で４．３ｍｍ、ＬＥＤ光源を６０個使用時のものである。
【産業上の利用可能性】
【００４３】
本発明のライン状照明装置はイメージスキャナー、ファクシミリ、複写機等の画像読取装置として有効な技術である。
【符号の説明】
【００４４】
１    基板
２    ＬＥＤ
３    導光体
６    入光面
７    出射面
１３  第１の光束
１４  第２の光束
Ａ    第１の平面
Ｂ    第２の平面
Ｃ    入光面側反射面
Ｄ    出射面側反射面
【図１】
2011139201.tif 000003
【図２】
2011139201.tif 000004
【図３】
2011139201.tif 000005
【図４】
2011139201.tif 000006
【図５】
2011139201.tif 000007
【図６】
2011139201.tif 000008
【図７】
2011139201.tif 000009
【図８】
2011139201.tif 000010
【図９】
2011139201.tif 000011
【図１０】
2011139201.tif 000012
【図１１】
2011139201.tif 000013
【図１２】
2011139201.tif 000014
【図１３】
2011139201.tif 000015
【図１４】
2011139201.tif 000016
【図１５】
2011139201.tif 000017